(57)【要約】【課題】  記録装置の初期化に要する時間を短縮する。【解決手段】  用紙を搬送するローラ対と、前記ローラ対のうち一方のローラを他方のローラから離間させる離間手段と、前記離間手段による離間処理が実行済か未実行かを示す状態を保持する保持手段と、電源オフ時の搬送装置の状態を示す情報を保持するメモリ手段と、電源オン時に、前記保持手段が保持している状態と前記メモリ手段に記憶されている情報に基づき、搬送装置の制御を行う制御手段と、を備える。【選択図】  図１
2010089939.tif 000002
【特許請求の範囲】
【請求項１】
用紙を搬送するローラ対と、
前記ローラ対のうち一方のローラを他方のローラから離間させる離間手段と、
前記離間手段による離間処理が行われているか否かを示す状態を保持する保持手段と、
電源オフのときの搬送装置の状態を示す情報を保持するメモリ手段と、
電源オンのときに、前記保持手段が保持している状態と前記メモリ手段に保持されている情報に基づき、搬送装置の制御を行う制御手段と、
を備えることを特徴とする搬送装置。
【請求項２】
前記離間処理が行われていることを示す状態を前記保持手段が保持し、前記メモリ手段がスタンバイ状態を保持する情報を保持していれば、前記制御手段は、蛇行補正動作を行うことを特徴とする請求項１に記載の搬送装置。
【請求項３】
前記搬送装置は、前記離間手段を操作するレバーと、該レバーの動きに基づき移動するメカフラグの状態を検知する検知手段とを備えることを特徴とする請求項１または２に記載の搬送装置。
【請求項４】
前記制御手段は、前記検知手段による前記メカフラグの状態を検知した後に、前記メカフラグを予め定めた状態にすることを特徴とする請求項３に記載の搬送装置。
【請求項５】
請求項１から請求項４のいずれか１項の搬送装置を備えた記録装置。
【発明の詳細な説明】
【技術分野】
【０００１】
本発明は、用紙を搬送する搬送装置や搬送装置を備えた記録装置に関する。
【背景技術】
【０００２】
プリンタ、複写機、ファクシミリ等の記録装置において用紙を搬送する搬送装置は、電源オン（電源ＯＮ）されたとき、に所定の初期化（イニシャライズ）動作が実施される。イニシャライズ動作では、搬送装置に内蔵されたセンサなどを利用して、セットされている用紙の状態、駆動系のカム位相、装置内で移動するユニットの原点出しが行なわれたりする。こうした電源ＯＮ時のイニシャライズ動作に関する提案の中には、プリンタの電源がＯＦＦ中に行なったユーザー操作をなんらかの手段によって検知して動作するような、案件がいくつか提案されている。
【０００３】
例えば、特許文献１は、記録媒体がカット紙である搬送装置における電源ＯＮ後の処理に関する提案である。電源オフ（電源ＯＦＦ）の前に搬送路中で用紙詰まりがあったことを内部メモリに記憶しておき、メモリ記憶情報と電源ＯＮ時の搬送路中の用紙検知センサの状態から、排出処理するか否かを判別処理している。具体的には、停電などの異常終了によって装置内に用紙が滞留している場合、電源ＯＮ後に搬送路中の用紙検知センサによって用紙の滞留を検知すると、装置外部へ自動排紙される。一方で、用紙が詰まった状態で電源が遮断された場合には、排紙処理せずに用紙を取除く処理をユーザーに促すようにする。これは、内部メモリに用紙が詰まった状態であることを記憶しておき、電源が投入された時に用紙検知センサによって搬送路内の用紙を検知すると、詰まった用紙が残っていると判断する。
【０００４】
また、特許文献２では、電源ＯＦＦ中にユーザーがインクタンクを交換したことを検知して、電源ＯＮ後の吸引のイニシャライズ動作を変更する提案がされている。具体的には、電源ＯＦＦする際にインクタンク内のインク残量を記憶しておき、電源が再びＯＮされた時のインク残量と比較することで、電源ＯＦＦ中にカートリッジが交換されたかを判断して、インクヘッドのクリーニング動作やインク吸引の実施判定をしている。
【０００５】
いずれの提案も、電源ＯＦＦ中のユーザー操作を何らかの方法で検知して、必要な時のみ所望の動作を実施し、一方で不必要な時にはイニシャライズ動作を省略したりして、イニシャライズ時間の短縮を図ったりしたものである。
【特許文献１】特開平１０−１９４５２２号公報
【特許文献２】特開２０００−１９０５１７号公報
【発明の開示】
【発明が解決しようとする課題】
【０００６】
先述の従来技術はカット紙に関するものであったが、画像形成装置の記録媒体の中には、例えばロール状に巻かれた用紙（連続紙）を記録媒体とする搬送装置がある。このような連続紙を取り扱う搬送装置では、通常、電源ＯＦＦ時には搬送ローラにニップされた状態、即ち、搬送路内に用紙が滞留した状態で電源が遮断される為、電源ＯＮ時に搬送路内に用紙が滞留している状態が普通となる。その為、カット紙とは異なったイニシャライズ動作が必要となる。
【０００７】
通常、このような連続紙を取り扱う搬送装置のイニシャライズ動作では、例えば用紙をフィードもしくはバックフィードして用紙先端を任意の位置へ運んだり、搬送路中に備え付けられたセンサによって用紙端部位置を確認したりする動作を行なう。こうしたイニシャライズ動作は、電源ＯＮ時の用紙の状態の如何によらず、また、電源ＯＦＦ中のユーザー操作の如何によらず、必ず決められた動作が行われていた。
【０００８】
例えば、電源ＯＦＦ中にユーザーが本体装置に触れて、セットされていたロール紙の状態がずれてしまう可能性がある。即ち、前回電源ＯＦＦ時の用紙状態と、電源ＯＮ時の用紙状態が異なる可能性がでてくる。その為、電源ＯＮ時に改めて用紙の端部位置を確認することが確実な手段であり、従来はそのようなイニシャライズ動作が行われていた。尚、イニシャライズ動作を省いた場合には、用紙の先端の位置がずれてしまい、そのずれのために印字時の余白の位置や余白量が変わってしまう可能性がある。あるいは、印字動作において、用紙からはみ出して印字をして装置内部を汚してしまう可能性があった。
【０００９】
一方でこのようなイニシャライズ動作は、通常動作で電源がＯＦＦされ、電源ＯＦＦ中に用紙状態が変化していないとしたならば、本来はやらなくて良い動作を行うことになる。このような動作は、必要な場合にだけ実施すれば良い。
【００１０】
また、別のケースとして、印字途中で突然電源が遮断された場合にも不具合が起こりえる。このような場合、印字結果（印字された画像）が残っていることに、ユーザーが気付かない場合、イニシャライズ動作後に、前回の印字結果に印字を行う可能性がある。
【００１１】
本発明は、上記課題に鑑みてなされ、その目的は、電源オン後の初期化動作を、電源オフ前の状態に応じて、適切に行う搬送装置及びその制御方法を提供することである。
【課題を解決するための手段】
【００１２】
本発明の搬送装置は、用紙を搬送するローラ対と、前記ローラ対のうち一方のローラを他方のローラから離間させる離間手段と、前記離間手段による離間処理が行われたか否かを示す状態を保持する保持手段と、電源オフ時の搬送装置の状態を示す情報を保持するメモリ手段と、電源オン時に、前記保持手段が保持している状態と前記メモリ手段に記憶されている情報に基づき、搬送装置の制御を行う制御手段と、を備えることを特徴とする。
【発明の効果】
【００１３】
本発明によれば、電源オフのときの搬送装置の状態や、電源オフ状態における画像形成ローラ対のニップの開放の有無、に対応して電源オン時に実行する初期化動作制御することで、初期化動作の時間短縮を実現する。
【発明を実施するための最良の形態】
【００１４】
図４は、実施の形態に係る搬送装置を備えた記録装置（インクジェットプリンタ）の斜視図である。
【００１５】
図４において、１はインクジェットプリンタ装置本体、１１は記録ヘッド、１２は記録ヘッド１１を搭載するキャリア（キャリッジ）、１９は記録ヘッド１１に対向して設けられたプラテンである。
【００１６】
この記録ヘッド１１は不図示の複数のノズル列を持ち、ノズル列ごとに異なる色のインクを吐出するようになっている。なお、この記録ヘッド１１には各色のノズルに対して各々の供給チューブ１３を介してインクタンク１４より各色のインクが供給されるようになっている。また、キャリア１２は、装置本体１のフレーム１５に両端部が固定されたガイドシャフト１６と不図示のガイドレールに沿って摺動可能に支持されている。
【００１７】
そして、記録ヘッドにより印字（記録）される位置まで搬送されてきた印字媒体（用紙）に対して、キャリア１２を走査させて記録ヘッド１１よりインクを吐出することにより、シート上に画像が印字されるようになっている。なお、このキャリア１２は不図示のベルト駆動装置とモータとにより往復移動されるようになっている。また、２３は記録ヘッド回復手段であり、このヘッド回復手段２３は記録ヘッド１１が、その移動範囲の一端付近に設けられたホームポジションに移動した際、記録ヘッド１１と対向可能な位置に設けられている。そして、このヘッド回復手段２３を印字動作（走査記録）の合間に作動させる。記録ヘッド１１に対してキャッピング、吸引、ワイピング等の動作を行わせることにより、記録ヘッド１１の目詰まり等を防止する。
【００１８】
リリースレバー２５は、電源オン／オフ状態に係わらず、ユーザーが操作することができる。このリリースレバー２５を操作することによって画像形成ローラ対９，１０において、ピンチローラ９とローラ１０とが離間し、ニップが開放される構成となっている。このリリースレバー２５は、搬送路にて紙詰まりの状態となって、滞留している用紙を搬送路から取除くために操作される。例えば、プラテン１９上で用紙が詰まった場合に操作することで、画像形成ローラ対９，１０のニップを開放し、ローラに保持されていた用紙を装置外へ取出すことができる。
【００１９】
次に、図５を用いて、ロール紙ホルダとロール紙Ｒについて説明する。本実施形態の印字媒体には、ロール状に巻かれた連続紙であるロール紙が用いられる。図５に示す斜視図のように、ロール紙Ｒは、自身の巻き中心にある紙管Ｓにスプールシャフト３２を貫通させている。また、ロール紙Ｒは、スプールシャフト３２に配置された基準側ロール紙ホルダ３０の基準側紙管ロック部３１が紙管Ｓの内壁に対して半径方向への弾性力によって食い込むことで固定保持される。尚、基準側ロール紙ホルダ３０はスプールシャフト３２に回転不動に固定されている。さらに、ロール紙Ｒを挟み込むように、基準側ロール紙ホルダ３０の逆側から非基準側ロール紙ホルダ３４を該スプールシャフト３２に通して、紙管Ｓにセットする。尚、非基準側ロール紙ホルダ３４にも非基準側紙管ロック部３５があり、半径方向への弾性力を伴って紙管Ｓに対して固定保持される。なお、スプールシャフト３２の軸上に、トルクリミッタ３３が設けられている。このトルクリミッタ３３により、ロール紙Ｒが回転する際に回転負荷を与える。図４に示すように、スプールシャフト３２の両端をプリンタ本体に回動自在に支持することによって、ロール紙Ｒも回動自在に保持される。本実施形態の記録装置では、ロール紙の位置決め基準は図４の右側であり、ロール紙のセットも右側基準でセットされる。これは、先述したように記録ヘッド１１が印刷中にも回復手段２３の上に移動する必要があるために、キャリア１２の移動時間を考慮すると、用紙を回復手段２３のある側に寄せてセットした方が、印刷スピードの短縮になる為である。従って、以降の記載では、ロール紙の右側用紙端部を基準側端部Ｒｈ、非基準側端部をＲｂ、用紙先端の端部をＲｐとして説明していくことにする。
【００２０】
次に、図６に示す記録装置の概略断面図を用いて、ロール紙の記録装置への設定（設置）について説明する。ロール紙Ｒの用紙先端Ｒｐは、ユーザーの手によって搬送口２へと導かれる。この状態では、ロール紙Ｒは反時計回転（ＣＣＷ）方向へ回転する。ロール紙先端Ｒｐは搬送路を通って下流方向へ送られていく。搬送路の途中には、反射型の用紙検知センサ４１が設けられている。
【００２１】
ユーザーの手でロール紙Ｒの用紙先端Ｒｐが搬送路を搬送方向下流側へ進み、用紙検知センサ４１により用紙先端Ｒｐが検知されると、記録装置の制御部は以下の動作を実行する。
【００２２】
まず、画像形成ローラ対９、１０を用紙搬送方向であるＣＣＷ方向に回転を開始する。それと共に、キャリア（キャリッジ）１２に搭載された検知センサ４２が搬送路上に位置するように、キャリッジを移動させる。ユーザーの手でロール紙Ｒの用紙先端Ｒｐが、回転している画像形成ローラ対９、１０に到達すると、記録装置の画像形成ローラ対９、１０により搬送される。そして、検知センサ４２により、ロール紙の先端Ｒｐを検知すると、画像形成ローラ対９，１０を所定量回転させた後に停止させる。以上の動作を行うと、図７（Ａ）に示すように、画像形成ローラ対９、１０のニップ位置Ｎから下流側の所定の位置ａに、ロール紙の先端Ｒｐが到達する。その後、更に、後述する蛇行補正動作を行い、ロール紙の先端Ｒｐはニップ位置Ｎから下流側の所定の位置ｄにて停止する。補足すると、上述したように、ユーザーの手でロール紙Ｒの用紙先端Ｒｐが用紙検知センサ４１により検知されると、記録装置の動作が開始される状態を未給紙スタンバイ状態（第１スタンバイ状態）と表現する。
【００２３】
図８（Ａ）、（Ｂ）を用いて、離間処理（ニップ解除）のための操作が行われたことを検知する検知部の説明をする。ニップ解除を行うリリースレバー２５の近傍にはメカフラグ２６と、電源オン後の所定のタイミングにメカフラグ２６の状態を検知するフォトセンサ２７が設けられている。メカフラグ２６は、リリースレバー２５の操作を行う（矢印Ａの向きに動かす）と、図７（Ａ）の状態から（Ｂ）の状態へと変化する。（Ｂ）の状態は、フォトセンサ２７を遮光する状態である。このメカフラグ２６は一旦位置が図８（Ａ）の状態から図８（Ｂ）の状態へと変化すると、それ以降にリリースレバー２５を操作しても不図示のバネ力によって図８（Ｂ）の位置を保持する。後述するＡＳＩＣ６１は、フォトセンサ２７による検知後に、ソレノイドを動作させて、メカフラグ２６の状態を、図８（Ｂ）の状態から図８（Ａ）の状態へ戻す。以上のように、電源ＯＮ時に、フォトセンサ２７の状態を調べることで、電源ＯＦＦ中のリリースレバー２５の操作が実行されたか、実行されていないかを知ることができる。
【００２４】
図９は、リリースレバー２５の操作による画像形成ローラ対のうち一方のローラを他方のローラから離間させる離間機構（ニップ解除部）を説明する図である。図９に示すようにカム２９は、リリースレバー２５と同じ軸２８に設けられている。図８（Ｂ）の矢印Ａの向きに、リリースレバー２５を操作すると、図９に示すようにカム２９が矢印Ａの向きに回転する。このカムの回転により部材（ピンチローラホルダ）３０が位置Ｃを中心に矢印の向きに回動する。これによりピンチローラ１０がローラ９から離間し、画像形成ローラ対９，１０のニップが開放される。
【００２５】
次に、図１０を用いて記録装置の制御構成を説明する。６１はＡＳＩＣである。このＡＳＩＣ（特定用途向け集積回路）６１は、ＣＰＵの他、記録ヘッドの制御ブロックやモータの制御ブロック、データ処理ブロック、ホスト装置との通信を行う通信制御ブロック等を備えている。６２はＲＡＭであり、記録データや制御のための情報を保持する。この情報には、後述する用紙端部の位置情報も含まれる。６３はＲＯＭであり、後述する制御を行うプログラムを格納する。６４はＥＥＰＲＯＭ（不揮発性メモリ）であり、電源をオフしても情報を保持するメモリである。このＥＥＰＲＯＭ６４は、後述する電源オフ時の記録装置の状態を示す情報を保持する。４１は、搬送路に設けられているセンサである。４２はキャリッジに設けられているセンサである。２７はニップ解除部に設けられているセンサである。２０はニップ解除部に設けられているソレノイドである。５０はモータを駆動するモータ駆動部である。５１はキャリアを移動させるための駆動源であるキャリアモータである。５２はローラ９を回転させるための駆動源である搬送モータである。５３はロール紙を回転させるための駆動源であるモータである。７０は装置の状態を表示する表示部や電源ボタンを備えた操作部である。８０は電源である。電源ボタンの操作に応じて、電源８０に対して信号を出力する。１００はホスト装置である。ホスト装置１００から画像データを受信して、データ変換処理などを行い、記録ヘッド１１へ転送する。
【００２６】
次に、図１を用いて電源オン時のロール紙のイニシャライズ動作について説明する。このイニシャライズ動作は、少なくともロール紙Ｒが記録装置にセットされ、用紙の先端がローラ対９．１０より下流側に位置していることが前提である。
【００２７】
このロール紙に対するイニシャライズ制御は、電源オフ状態における画像形成ローラ対９，１０の離間処理（ニップ解除処理）の有無（実行済か未実行）に関する情報と電源オフ時の記録装置の状態についての情報に基づいて行われる。
【００２８】
まず、Ｓ１０１にて、ニップ解除処理の有無に関する情報と電源オフ時の記録装置の状態についての情報に基づいて判定する。判定結果がＡであれば、いずれの処理も行わずに終了する。判定結果がＢであれば、Ｓ１０４へ進み、蛇行補正シーケンスを行う。蛇行補正シーケンスは、後で説明する。判定結果がＣであれば、Ｓ１０２へ進み、印字済の画像を排出するために、用紙カットシーケンスを行う。このシーケンスでは、用紙に記録されている画像をカッター（図４の２１）の搬送方向の下流側まで搬送する動作を行い、用紙のカットを行う。その後、Ｓ１０３にて、カットされた断面は用紙の先端Ｒｐとなるので、この先端Ｒｐを位置ａ（図７（Ａ））まで移動するように搬送動作を行う。その後、Ｓ１０４にて蛇行補正シーケンスを実施する。
【００２９】
次に、図２を用いて、図１におけるＳ１０１の判定処理の内容を説明する。Ｓ２０１にて、電源オフ時の記録装置の状態が、スタンバイ状態であるか否かを判定する。スタンバイ状態であれば（Ｙ）、Ｓ２０２へ進む。一方ＮであればＳ２０３へ進む。Ｓ２０２にて、電源オフ時（電源がオフされるとき）のニップ解除の有無を判定する。ニップ解除が有り（ニップ解除が行われた、Ｙ）ならば、Ｓ２０６へ進み、判定処理の結果をＢとする。一方、無しであれば、Ｓ２０５へ進み、判定処理の結果をＡとする。一方、Ｓ２０１にて、Ｎと判定された場合には、電源オフ時の記録装置の状態が、イニシャライズ動作中であるか印字中であるかを判定する。ロール紙のイニシャライズ動作中（初期化動作中）であればＳ２０６へ進み、判定処理の結果をＢとする。一方、印字中であれば、Ｓ２０４へ進む。Ｓ２０４では、Ｓ２０２と同様に、電源オフ時のニップ解除の有無を判定する。ニップ解除が有りであれば（Ｙ）、Ｓ２０６へ進み、判定処理の結果をＢとする。ニップ解除が無しであれば、判定処理の結果をＣとする。以上のように、ニップ解除処理の有無に関する情報と電源オフ時の記録装置の状態についての情報に基づいて、判定を行う。
【００３０】
なお、この電源オフは、ユーザーの操作により電源オフ状態になる場合の他、例えば、停電や電源コードが抜けたことによる電力供給が停止（遮断）した場合を想定している。
【００３１】
そのため、記録装置の各状態についての情報（フラグ）を予め定め、記録装置の状態の変化に応じてその情報を更新するよう制御される。
【００３２】
記録装置に設けられた不揮発性メモリに、初期化状態を示すフラグや印字状態をしめすフラグを設定し、それぞれの動作が完了後に不揮発性メモリから前記フラグの内容を変更する制御を行う。これにより、突発的な電源遮断が発生しても電源遮断直前の装置の動作状態を確実に知ることができる。
【００３３】
なお、スタンバイ状態は、例えば、印字の指示を受ければ、印字動作を開始できる状態を示している。このスタンバイ状態は、初期化動作完了後や印字動作完了後の状態である。
【００３４】
また、ユーザーが、操作部の電源ボタンの操作を行うことにより電源オフを行えば、電源オフ時の装置の状態はスタンバイ状態とする。
【００３５】
次に、図３を用いてイニシャライズ動作説明をする。Ｓ３０１にて、搬送動作を行う。画像形成ローラ９が所定の位置まで搬送する。この動作は、蛇行補正のための動作である。ユーザーの手によって行われる給紙は、搬送を行う場合に、用紙左右端部が蛇行することがある。このために、蛇行状態を抑制する目的で実施される。前述したように、スプール軸上にトルクリミッタを設け、ロール紙Ｒに所定の回転負荷を与えた状態で画像形成ローラ対９、１０による搬送動作を行うことで、ロール紙の蛇行状態を抑制できる。
【００３６】
次に、Ｓ３０２にて、用紙に対してキャリア１２を走査（移動）させて、用紙の基準側端部（基準端部）Ｒｈ１を検知する。この検知に基づき、基準側端部の位置情報をメモリに格納する。
【００３７】
次に、Ｓ３０３にて、搬送方向の上流側の基準側端部Ｒｈ２、非基準側端部Ｒｂの位置情報を取得するために、搬送動作を行う。
【００３８】
Ｓ３０４にて、用紙の基準端部の位置情報を取得するキャリア１２を移動させて、基準側端部Ｒｈ２と用紙端部Ｒｈを検知する。この検知に基づき、それぞれの位置情報をメモリに格納する。
【００３９】
Ｓ３０５にて、斜行量を取得する。先に取得した基準側端部Ｒｈ１、Ｒｈ２の情報と、Ｒｈ１とＲｈ２の間の距離（ローラの回転量）に基づき、用紙の斜行の程度（斜行量）を取得する。
【００４０】
Ｓ３０６にて、斜行量が所定の閾値より大きいか否かを判定する。斜行量が閾値より大きければ、Ｓ３０８にてユーザーに再セットを行うように表示部にて表示を行う。斜行量が閾値より小さければ、Ｓ３０７にて、用紙を搬送し、ロール紙先端Ｒｐを上流側に設けられている所定位置まで搬送する。この所定位置は、画像形成ローラ対９，１０から下流側に５ｍｍの位置である。
【００４１】
そして、Ｓ３０９にて、キャリアを図６に示した回復手段２３の位置まで移動し、キャッピングされた状態で待機する。この待機状態を給紙済スタンバイ状態（第２スタンバイ状態）と表現する。印刷データが受信されるまで継続する。
【００４２】
なお、ロール紙Ｒは、下流側に用紙が搬送される際に、画像形成ローラ対９，１０によって引っ張られて連れ回ることになる。この連れ回りの状態で、画像形成ローラ９が減速状態や停止状態となる場合、ロール紙Ｒは自身の慣性力によって回転運動を続けようとする。そのため、図７に示すトルクリミッタ３３により、回転負荷を与えて短時間でロール紙Ｒの回転を停止させる構成となっている。
【００４３】
また、画像形成ローラ９を逆方向に回転（ＣＷ方向）させて、ロール紙先端Ｒｐは搬送方向の上流側へ搬送する場合に、ロール紙が搬送路内で弛まないように、画像形成ローラ９の用紙搬送速度に対して増速された速度でロール紙Ｒが回転するように、不図示のモータを駆動源として、ロール紙Ｒを回転させる。この動作を行う場合にも、用紙に過度なテンションがかかって破れてしまうことがないよう、トルクリミッタを介して巻取り動作が行われ、一定なテンションが保たれるような構成になっている。
【００４４】
なお、基準端部位置Ｒｈ２と非基準側端部Ｒｂとの情報に基づき、用紙の幅の情報を取得する。基準端部位置Ｒｈ２と非基準側端部Ｒｂの差分の結果を用いて用紙の幅の情報（用紙幅情報）を取得する。この用紙幅情報は、印刷データの用紙幅と不一致があった場合には、ユーザーに知らせることに使われたりする。
【００４５】
続いて、電源オン／オフ時の動作に関して説明する。本実施形態では、装置に設けられている電源ボタンを押下することで電源のオン／オフが行なわれる。電源オフ時には、画像形成ローラ対９、１０の動作は行わず、そのまま電源が遮断される。一方、図１に示す蛇行補正シーケンスの途中でれば、そのシーケンスの動作を中断し、画像形成ローラ９とロール紙ＲをＣＷ方向に回転して、用紙の先端Ｒｐを位置ａまで搬送する。
【００４６】
また、印字途中であった場合には印字動作を中断し、ロール紙を下流側へ搬送し、カッター２１によって印字済の領域を含む用紙をカットする。そして、画像形成ローラ９及びロールＲがＣＷ方向に回転して、カットされた部分（ロール紙先端Ｒｐ）を位置ａまで搬送する。その後、電源が遮断される。
【００４７】
以上のように、ユーザーが、操作部の電源ボタンの操作を行うことにより電源オフを行えば、電源オフ状態では、用紙の先端が所定の待機位置（図７の位置ａ）にて保持される。また、ユーザーが、操作部の電源ボタンの操作を行うことにより電源オフを行えば、電源オフ時の装置の状態はスタンバイ状態となる。
【００４８】
（その他の実施形態）
また、上述の実施形態では、リリースレバー２５の動きに連動するメカ的なフラグを設けたが、別の形態でも構わない。例えば、画像形成ローラ対９，１０の離間動作に連動するメカ的なフラグを設け、このフラグの状態をフォトセンサで検知しても構わない。
【００４９】
また、図２の制御フローにて、画像形成ローラ対９，１０の離間が行われた場合には、記録装置の表示部に、その旨を表示する構成としても構わない。
【００５０】
また、上述の実施形態に適用する形態は記録装置であったが、スキャナユニットを備えた画像読取装置に適用しても構わない。
【図面の簡単な説明】
【００５１】
【図１】本実施形態の電源オン時の制御フロー
【図２】本実施形態の電源オン時の実行する判定のフロー
【図３】本実施形態に蛇行補正シーケンスのフロー
【図４】本実施形態の記録装置の斜視図
【図５】本実施形態のロール紙の説明図
【図６】本実施形態の基準端側からみた記録装置の断面図
【図７】本実施形態における搬送動作における搬送方向の用紙先端Ｒｐの位置を説明する図。
【図８】本実施形態におけるニップ解除の有無の情報を保持する構成の説明図
【図９】本実施形態におけるニップ開閉機構の説明図
【図１０】本実施形態の記録装置の制御ブロック図
【符号の説明】
【００５２】
９、１０  画像形成ローラ対
２５  リリースレバー
２６  メカフラグ
【図１】
2010089939.tif 000003
【図２】
2010089939.tif 000004
【図３】
2010089939.tif 000005
【図４】
2010089939.tif 000006
【図５】
2010089939.tif 000007
【図６】
2010089939.tif 000008
【図７】
2010089939.tif 000009
【図８】
2010089939.tif 000010
【図９】
2010089939.tif 000011
【図１０】
2010089939.tif 000012